【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
無線ネットワークを検索する検索手段と、
前記検索手段により検索された無線ネットワークのうち、同一のアクセスポイントにより形成された第１の周波数帯を用いる第１の無線ネットワークと第２の周波数帯を用いる第２の無線ネットワークを関連付ける関連付け手段と、
前記検索手段により検索された無線ネットワークから、接続する無線ネットワークを選択する選択手段と、
前記選択手段により選択された無線ネットワークに接続するための認証処理を実行する認証手段と、を備え、
前記選択手段により前記第１の無線ネットワークが選択された場合、前記認証手段は、前記選択手段により選択された前記第１の無線ネットワークに接続する前に、前記第１の無線ネットワークに接続するための認証処理を実行するとともに、前記関連付け手段により前記第１の無線ネットワークと関連付けされた前記第２の無線ネットワークに接続するための認証処理を実行するよう制御することを特徴とする通信装置。
【請求項２】
前記認証処理は、暗号キー情報を入力するための画面を表示する処理を含むことを特徴とする請求項１に記載の通信装置。
【請求項３】
前記暗号キー情報を入力するための画面は、前記第１の無線ネットワークに対応する暗号キー情報を入力するエリアと、前記第２の無線ネットワークに対応する暗号キー情報を入力するエリアとを一画面中に含むことを特徴とする請求項２に記載の通信装置。
【請求項４】
前記暗号キー情報を入力するための画面において、前記選択された前記第１の無線ネットワークに対応する暗号キー情報および前記第２の無線ネットワークに対応する暗号キー情報が入力された場合、前記認証手段は前記第１の無線ネットワークおよび前記第２の無線ネットワークへの接続を試みることを特徴とする請求項２または３に記載の通信装置。
【請求項５】
前記暗号キー情報を入力するための画面において、前記選択された前記第１の無線ネットワークに対応する暗号キー情報および前記第２の無線ネットワークに対応する暗号キー情報が入力された場合、前記認証手段は前記第１の無線ネットワークおよび前記第２の無線ネットワークへの接続を順次試みることを特徴とする請求項２から４のいずれか１項に記載の通信装置。
【請求項６】
前記暗号キー情報を入力するための画面において、前記選択された前記第１の無線ネットワークに対応する暗号キー情報および前記第２の無線ネットワークに対応する暗号キー情報のうち、１つが入力されなかった場合、前記認証手段は暗号キー情報が入力された無線ネットワークへの接続を試み、暗号キー情報が入力されなかった無線ネットワークへの接続を試みないことを特徴とする請求項２から５のいずれか１項に記載の通信装置。
【請求項７】
前記暗号キー情報を入力するための画面において、前記選択された前記第１の無線ネットワークに対応する暗号キー情報および前記第２の無線ネットワークに対応する暗号キー情報の両方が入力され、かつ入力された暗号キー情報のうち１つが誤っていた場合、前記認証手段により無線ネットワークへの接続を試みる前にエラーを通知する通知手段をさらに備えることを特徴とする請求項２から６のいずれか１項に記載の通信装置。
【請求項８】
前記第１の無線ネットワークへの接続中に前記第１の周波数帯を用いる第３の無線ネットワークへの接続を行う場合、前記第１の無線ネットワークから前記第２の無線ネットワークへの切り替え処理を行う切り替え手段をさらに備え、
前記切り替え手段による切り替え処理では、前記認証手段による前記第２の無線ネットワークに接続するための認証処理の結果が用いられることを特徴とする請求項１から７のいずれか１項に記載の通信装置。
【請求項９】
前記関連付け手段は、前記検索手段により得られる前記無線ネットワークの形成に関する情報に基づき、同一のアクセスポイントにより形成された前記第１の無線ネットワークと前記第２の無線ネットワークとを関連付けることを特徴とする請求項１から８のいずれか１項に記載の通信装置。
【請求項１０】
前記検索手段は、無線LANに基づくアクセスポイントを検索することを特徴とする請求項１から９のいずれか１項に記載の通信装置。
【請求項１１】
無線ネットワークを検索する検索ステップと、
前記検索ステップにより検索された無線ネットワークのうち、同一のアクセスポイントにより形成された第１の周波数帯を用いる第１の無線ネットワークと第２の周波数帯を用いる第２の無線ネットワークを関連付ける関連付けステップと、
前記検索ステップにより検索された無線ネットワークから、接続する無線ネットワークを選択する選択ステップと、
前記選択ステップにより選択された無線ネットワークに接続するための認証処理を実行する認証ステップと、を備え、
前記選択ステップにより前記第１の無線ネットワークが選択された場合、前記認証ステップでは、前記選択ステップにより選択された前記第１の無線ネットワークに接続する前に、前記第１の無線ネットワークに接続するための認証処理を実行するとともに、前記関連付けステップにより前記第１の無線ネットワークと関連付けされた前記第２の無線ネットワークに接続するための認証処理を実行するよう制御することを特徴とする通信装置の制御方法。
【請求項１２】
コンピュータを、請求項１から１０のいずれか１項に記載された通信装置の各手段として機能させるためのプログラム。
【請求項１３】
コンピュータを、請求項１から１０のいずれか１項に記載された通信装置の各手段として機能させるためのプログラムを格納したコンピュータが読み取り可能な記憶媒体。
【手続補正２】
【補正対象書類名】明細書
【補正対象項目名】発明の名称
【補正方法】変更
【補正の内容】
【発明の名称】通信装置およびその制御方法、プログラム、並びに記憶媒体
【手続補正３】
【補正対象書類名】明細書
【補正対象項目名】０００８
【補正方法】変更
【補正の内容】
【０００８】
上記課題を解決するために、本発明の通信装置は、無線ネットワークを検索する検索手段と、前記検索手段により検索された無線ネットワークのうち、同一のアクセスポイントにより形成された第１の周波数帯を用いる第１の無線ネットワークと第２の周波数帯を用いる第２の無線ネットワークを関連付ける関連付け手段と、前記検索手段により検索された無線ネットワークから、接続する無線ネットワークを選択する選択手段と、前記選択手段により選択された無線ネットワークに接続するための認証処理を実行する認証手段と、を備え、前記選択手段により前記第１の無線ネットワークが選択された場合、前記認証手段は、前記選択手段により選択された前記第１の無線ネットワークに接続する前に、前記第１の無線ネットワークに接続するための認証処理を実行するとともに、前記関連付け手段により前記第１の無線ネットワークと関連付けされた前記第２の無線ネットワークに接続するための認証処理を実行するよう制御する。
【手続補正４】
【補正対象書類名】明細書
【補正対象項目名】００３６
【補正方法】変更
【補正の内容】
【００３６】
データ記憶部２１１は、ソフトウェアそのものおよび、無線ＬＡＮパラメータや、ＤＨＣＰアドレステーブルおよびＡＲＰテーブルなどの各種テーブルを記憶する機能を有する。
【手続補正５】
【補正対象書類名】明細書
【補正対象項目名】００４５
【補正方法】変更
【補正の内容】
【００４５】
＜無線ＬＡＮ接続処理＞次に、図４を参照して、本実施形態の通信機器３０１による無線ＬＡＮ接続処理について説明する。